【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
健康診断装置であって、生体情報の採集は人の足から行って、該装置は通常着用する靴の形状していて、健康データー採集用のセンサーを靴に備える手段と、センサーからのデーターを受信して他の通信端末機に送信する手段を該検診用靴に備えることを特徴とする手段と、検診用靴にデーターの送受信部を備えていて、微弱電波の手段を使って前記送受信部と前記センサーとの間の交信と、前記送受信部と他の通信端末機との間の交信とを可能にしたことを特徴とする健康診断用の人体着用装置。
【請求項２】
前記請求項１において前記センサーは、加速度、平衡感覚、重力、圧力、発汗、血液、血圧、温度のデーターを測定する手段と、前記センサーのチップ上に設けられたデーターの送受信部とを備えたことを特徴とする健康診断用の人体着用装置。
【請求項３】
情報通信網上に健康管理を行うサイトを設けて、被検診者からの生体情報を管理、保管して、被検診者の健康状態を観察して、ウエブ健康管理センターにて健康指導を行うことを特徴とする健康診断用の人体着用装置。
【請求項４】
生体情報の検出を健康診断用の人体着用装置により行い該生体情報をウエブ健康管理センターに送信する工程と、
前記ウエブ健康管理センターによりこの生体情報に基づき特定の個人と照合された該個人情報に基づく所定の情報を、前記健康診断用の人体着用装置との間で情報を送受信可能な通信端末機により受信する工程と、
この受信した情報に基づいて前記個人の生体情報の状態を前記健康診断用の人体着用装置により測定する工程と、を具備したことを特徴とする個人情報検出方法。
【請求項５】
第一の生体情報の検出を健康診断用の人体着用装置により行い該生体情報をウエブ健康管理センターに送信する工程と、
前記ウエブ健康管理センターによりこの生体情報に基づき特定の個人と照合された該個人情報に基づく所定の情報を、前記健康診断用の人体着用装置との間で情報を送受信可能な通信端末機により受信する工程と、
この受信した情報に基づいて前記個人の前記第一の生体情報とは異なる第二の生体情報を前記健康診断用の人体着用装置により測定する工程と、を具備したことを特徴とする個人情報検出方法。
【請求項６】
人体の個人を特定する生体情報の検出を健康診断用の人体着用装置により行いその生体情報をウエブ健康管理センターに送信する工程と、
前記ウエブ健康管理センターによりこの生体情報に基づき特定の個人と照合された該個人情報に基づく所定の情報を、前記健康診断用の人体着用装置との間で情報を送受信可能な通信端末機により受信する工程と、
この受信した情報に基づいて前記個人の前記生体情報を前記健康診断用の人体着用装置により測定し現在の個人の健康状態を測定する工程と、を具備したことを特徴とする個人情報検出方法。
【請求項７】
人体の個人を特定する生体情報の検出を健康診断用の人体着用装置により行いその生体情報が予め定められた個人かをウエブ健康管理センターにより特定する工程と、
この工程により特定の個人と判断された場合に前記健康診断用の人体着用装置との間で情報を送受信可能な通信端末機により無線にて前記特定の個人の検出すべき項目の情報を前記ウエブ健康管理センターに問い合わせする工程と、
この問い合わせにて得られた情報に基づき人体情報を前記健康診断用の人体着用装置により検出する工程と、
この検出する工程により検出された情報を現在の個人の健康状態として蓄積する工程と、
この蓄積された情報を医師が診断する工程と
を具備したことを特徴とする個人情報検出方法。
【請求項８】
人体の個人を特定する生体情報の検出を健康診断用の人体着用装置により行いその生体情報が予め定められた個人かをウエブ健康管理センターにより検出し無線にて前記特定の個人の検出すべき項目の情報を前記健康診断用の人体着用装置との間で情報を送受信可能な通信端末機により前記ウエブ健康管理センターに問い合わせする工程と、
この問い合わせにて得られた情報に基づき前記健康診断用の人体着用装置により人体情報を検出する工程と、
この工程により検出された情報を無線にて前記ウエブ健康管理センターに送信する工程と、を具備したことを特徴とする個人情報検出方法。
【請求項９】
人体の個人を特定する生体情報の検出を行いその生体情報を送信する送信機構と、この生体情報に基づき特定の個人と照合された該個人情報に基づく所定の情報を受信する受信機構と、この受信した情報に基づいて前記個人の前記生体情報を測定し現在の個人の健康状態を測定する測定機構と、を具備したことを特徴とする個人情報検出装置。
【請求項１０】
人体の個人を特定する生体情報の検出を行いその生体情報が予め定められた個人かを特定する判断機構と、この判断機構により特定の個人と認証された場合に医師が診断自在に構成され前記個人の前記生体情報を測定し現在の個人の健康状態を蓄積する携帯型の記憶装置と、を具備したことを特徴とする個人情報検出装置。
【請求項１１】
人体の個人を特定する生体情報の検出を行いその生体情報が予め定められた個人かを特定する判断機構と、この判断機構により特定の個人と判断された場合に無線にて前記特定の個人の検出すべき項目の情報を問い合わせする無線機構と、この問い合わせにて得られた情報に基づき人体情報を検出する機構と、この検出機構により検出された情報を医師が診断自在に構成され前記個人の前記生体情報を測定し現在の個人の健康状態を蓄積する記憶装置と、を具備したことを特徴とする個人情報検出装置。
【手続補正２】
【補正対象書類名】明細書
【補正対象項目名】発明の名称
【補正方法】変更
【補正の内容】
【発明の名称】健康診断用の人体着用装置、個人情報検出方法及び個人情報検出装置
【手続補正３】
【補正対象書類名】明細書
【補正対象項目名】０００８
【補正方法】変更
【補正の内容】
【０００８】
本発明は、健康のバロメータである人の足に注目して、人が日常生活する中で装着する靴に体の状態、被検診者の動作、癖をデーターとして取り出すセンサーを設けた。かつ、情報通信網上にサイトを設けて、遠隔でデーターの解析をおこなって専門家による観察と指導をおこなう。
本発明の個人情報検出方法は、生体情報の検出を健康診断用の人体着用装置により行い該生体情報をウエブ健康管理センターに送信する工程と、前記ウエブ健康管理センターによりこの生体情報に基づき特定の個人と照合された該個人情報に基づく所定の情報を、前記健康診断用の人体着用装置との間で情報を送受信可能な通信端末機により受信する工程と、この受信した情報に基づいて前記個人の生体情報の状態を前記健康診断用の人体着用装置により測定する工程と、を具備したことを特徴とする。
本発明の他の観点に係る個人情報検出方法は、第一の生体情報の検出を健康診断用の人体着用装置により行い該生体情報をウエブ健康管理センターに送信する工程と、前記ウエブ健康管理センターによりこの生体情報に基づき特定の個人と照合された該個人情報に基づく所定の情報を、前記健康診断用の人体着用装置との間で情報を送受信可能な通信端末機により受信する工程と、この受信した情報に基づいて前記個人の前記第一の生体情報とは異なる第二の生体情報を前記健康診断用の人体着用装置により測定する工程と、を具備したことを特徴とする。
本発明の他の観点に係る個人情報検出方法は、人体の個人を特定する生体情報の検出を健康診断用の人体着用装置により行いその生体情報をウエブ健康管理センターに送信する工程と、前記ウエブ健康管理センターによりこの生体情報に基づき特定の個人と照合された該個人情報に基づく所定の情報を、前記健康診断用の人体着用装置との間で情報を送受信可能な通信端末機により受信する工程と、この受信した情報に基づいて前記個人の前記生体情報を前記健康診断用の人体着用装置により測定し現在の個人の健康状態を測定する工程と、を具備したことを特徴とする。
本発明の他の観点に係る個人情報検出方法は、人体の個人を特定する生体情報の検出を健康診断用の人体着用装置により行いその生体情報が予め定められた個人かをウエブ健康管理センターにより特定する工程と、この工程により特定の個人と判断された場合に前記健康診断用の人体着用装置との間で情報を送受信可能な通信端末機により無線にて前記特定の個人の検出すべき項目の情報を前記ウエブ健康管理センターに問い合わせする工程と、この問い合わせにて得られた情報に基づき人体情報を前記健康診断用の人体着用装置により検出する工程と、この検出する工程により検出された情報を現在の個人の健康状態として蓄積する工程と、この蓄積された情報を医師が診断する工程とを具備したことを特徴とする。
本発明の他の観点に係る個人情報検出方法は、人体の個人を特定する生体情報の検出を健康診断用の人体着用装置により行いその生体情報が予め定められた個人かをウエブ健康管理センターにより検出し無線にて前記特定の個人の検出すべき項目の情報を前記健康診断用の人体着用装置との間で情報を送受信可能な通信端末機により前記ウエブ健康管理センターに問い合わせする工程と、この問い合わせにて得られた情報に基づき前記健康診断用の人体着用装置により人体情報を検出する工程と、この工程により検出された情報を無線にて前記ウエブ健康管理センターに送信する工程と、を具備したことを特徴とする。
本発明の個人情報検出装置は、人体の個人を特定する生体情報の検出を行いその生体情報を送信する送信機構と、この生体情報に基づき特定の個人と照合された該個人情報に基づく所定の情報を受信する受信機構と、この受信した情報に基づいて前記個人の前記生体情報を測定し現在の個人の健康状態を測定する測定機構と、を具備したことを特徴とする。
本発明の他の観点に係る個人情報検出装置は、人体の個人を特定する生体情報の検出を行いその生体情報が予め定められた個人かを特定する判断機構と、この判断機構により特定の個人と認証された場合に医師が診断自在に構成され前記個人の前記生体情報を測定し現在の個人の健康状態を蓄積する携帯型の記憶装置と、を具備したことを特徴とする。
本発明の個人情報検出装置は、人体の個人を特定する生体情報の検出を行いその生体情報が予め定められた個人かを特定する判断機構と、この判断機構により特定の個人と判断された場合に無線にて前記特定の個人の検出すべき項目の情報を問い合わせする無線機構と、この問い合わせにて得られた情報に基づき人体情報を検出する機構と、この検出機構により検出された情報を医師が診断自在に構成され前記個人の前記生体情報を測定し現在の個人の健康状態を蓄積する記憶装置と、を具備したことを特徴とする。